(57)【要約】【課題】ゴーストの発生を低減または防止することができるカメラモジュールを提供することを課題とする。【解決手段】  レンズユニット２とその下方に設けられ内部に撮像素子５を密閉可能に収容する撮像素子収容空間３３を有する撮像素子部３とから成るカメラモジュール１であって、撮像素子部３は、撮像素子５が搭載された基板６と、レンズを介して入射した光を撮像素子に導入するための開口３４を有するベース３１を有している。ベースの開口３４の周囲は、ＩＲカットフィルタ４を支持するオーバーハング部３２をなしており、該オーバーハング部の周縁は、入射する光のうちの最外光線の入射角度よりも大きな傾斜角度を有した傾斜縁部３２ｃを有しており、かつ前記最外光線の経路の外側に位置している。また、オーバーハング部の傾斜縁部からベースの撮像素子収容空間側周囲の垂直壁に至る内壁面に、乱反射を防止するシボ加工３５が施されている。【選択図】  図１
2006208865.tif 000002
【特許請求の範囲】
【請求項１】
レンズを保持するレンズユニットと、該レンズユニットの下方に設けられ内部に撮像素子を密閉可能に収容する撮像素子収容空間を有する撮像素子部とから成るカメラモジュールであって、
前記撮像素子部は、前記撮像素子が搭載された基板と、該基板の上側に設けられ、上面に前記レンズを介して入射した光を前記撮像素子に導入するための開口を有するベースと、前記ベースの開口を覆うように設けられたＩＲカットフィルタとを有し、前記撮像素子収容空間は、前記基板と前記ベースと前記ＩＲカットフィルタとにより規定され、前記ベースの前記開口の周囲は、前記ＩＲカットフィルタを支持するオーバーハング部をなしており、
該オーバーハング部の前記開口側の周縁は、前記入射する光のうちの最外光線の入射角度よりも大きな傾斜角度を有した傾斜縁部を有しており、かつ前記オーバーハング部の周縁は、前記最外光線の経路の外側に位置していることを特徴とするカメラモジュール。
【請求項２】
前記オーバーハング部の前記開口側の周縁は、さらに、前記傾斜縁部に連なった垂直縁部を有しており、該垂直縁部は前記レンズユニット側であって前記最外光線の経路の外側に位置している請求項１に記載のカメラモジュール。
【請求項３】
少なくとも前記オーバーハング部の裏面に反射防止手段が施されている請求項１または２に記載のカメラモジュール。
【請求項４】
前記反射防止手段は、前記オーバーハング部の傾斜縁部から前記ベースの前記撮像素子収容空間側の垂直壁に至る内壁面に施されている請求項３に記載のカメラモジュール。
【請求項５】
前記反射防止手段はシボ加工である請求項３または４に記載のカメラモジュール。
【請求項６】
レンズを保持するレンズユニットと、該レンズユニットの下方に設けられ内部に撮像素子を密閉可能に収容する撮像素子収容空間を有する撮像素子部とから成るカメラモジュールであって、
前記撮像素子部は、前記撮像素子が搭載された基板と、該基板の上側に設けられ、上面に前記レンズを介して入射した光を前記撮像素子に導入するための開口を有するベースと、前記ベースの開口を覆うように設けられたＩＲカットフィルタとを有し、前記撮像素子収容空間は、前記基板と前記ベースと前記ＩＲカットフィルタとにより規定され、前記ベースの前記開口の周囲は、前記ＩＲカットフィルタを支持するオーバーハング部をなしており、
少なくとも前記オーバーハング部の裏面に反射防止手段が施されていることを特徴とするカメラモジュール。
【請求項７】
前記オーバーハング部の前記開口側の周縁は、前記入射する光のうちの最外光線の入射角度よりも大きな傾斜角度を有した傾斜縁部を有しており、前記反射防止手段は、前記オーバーハング部の傾斜縁部から前記ベースの前記撮像素子収容空間側の垂直壁に至る内壁面に施されている請求項６に記載のカメラモジュール。
【請求項８】
前記反射防止手段はシボ加工である請求項６または請求項７に記載のカメラモジュール。
【発明の詳細な説明】
【技術分野】
【０００１】
本発明はカメラモジュールに関し、特に携帯電話機等の電子機器に搭載される比較的小型のカメラモジュールに関する。
【背景技術】
【０００２】
携帯電話機等の電子機器に搭載される比較的小型のカメラモジュールには、その撮像素子としてＣＭＯＳセンサやＣＣＤセンサが使用されている。図２は、このような従来のカメラモジュール１１の断面図を示している。このカメラモジュール１１は、レンズユニット１２と、レンズユニット１２の下側に設けられた撮像素子部１３とから成る。
【０００３】
レンズユニット１２は、レンズ１２３とレンズ１２４を内部に収容したバレル１２１と、このバレル１２１を支持するレンズホルダ１２２とを備えている。レンズホルダ１２２を回動すると、バレル１２１が光軸方向に移動してフォーカス調整が行えるように構成されている。
【０００４】
撮像素子部１３は、上面に略四角形の開口１３４が形成されたベース１３１と、ベース１３１の上面に開口１３４を覆うように設けられたＩＲカットフィルタ１４と、ベース１３１の下側に設けられた基板１６と、基板１６の上面に実装されたＣＭＯＳセンサ（撮像素子）１５とから構成されている。
【０００５】
ベース１３１の内部には、ベース１３１とＩＲカットフィルタ１４と基板１６とで規定されたＣＭＯＳセンサ１５を収容するセンサ収容空間（撮像素子収容空間）１３３が設けられている。
【０００６】
また、ベース１３１の開口１３４の周囲は、ＩＲカットフィルタ１４を支持するためのオーバーハング部１３２となっている。このオーバーハング部１３２は、図２において、センサ収容空間１３３内へ水平方向に延出しているように示されている。このオーバーハング部１３２は、ＩＲカットフィルタを支持するために設けられており、また撮像素子の結像有効面外の有害光線を遮断するための遮光マスクとしての機能を備えている。
【発明の開示】
【発明が解決しようとする課題】
【０００７】
上記のカメラモジュール１１では、レンズ１２３、１２４を介して入射した光のうち、最も外側に位置する光線（以下、「最外光線」とする）が、オーバーハング部１３２の開口１３４側周縁の垂直縁１３２ａで反射し、その光が撮像素子１５に入射し、得られた像の中にゴーストが発生するという問題があった。このゴーストを発生させる最外光線の経路は、図２において経路Ａとして示されている。このゴーストの発生を回避するためにオーバーハング部１３２を外側に後退させるという方法が考えられるが、そのようにすると遮光マスクとしての機能が損なわれ、またＩＲカットフィルタ１４の支持力低下、カメラモジュール１１の大型化を招来する等の新たな問題が生じる。
【０００８】
また、以上の従来のカメラモジュール１１では、撮像素子１５の結像面で反射した線がオーバーハング部１３２の裏面でさらに乱反射して、別のゴーストが発生するという問題もあった。この反射光の経路は、図２において経路Ｂとして示されている。
【０００９】
本発明は上記課題に鑑みなされたもので、以上のようなゴーストの発生を低減または防止することができるカメラモジュールを提供することを目的とする。
【課題を解決するための手段】
【００１０】
本発明に係るカメラモジュールは、レンズを保持するレンズユニットと、該レンズユニットの下方に設けられ内部に撮像素子を密閉可能に収容する撮像素子収容空間を有する撮像素子部とから成り、前記撮像素子部は、前記撮像素子が搭載された基板と、該基板の上側に設けられ、上面に前記レンズを介して入射した光を前記撮像素子に導入するための開口を有するベースと、前記ベースの開口を覆うように設けられたＩＲカットフィルタとを有し、前記収容空間は、前記基板と前記ベースと前記ＩＲカットフィルタとにより規定され、前記ベースの前記開口の周囲は、前記ＩＲカットフィルタを支持するオーバーハング部をなしており、該オーバーハング部の前記開口側の周縁は、前記入射する光のうちの最外光線の入射角度よりも大きな傾斜角度を有した傾斜縁部を有しており、かつ前記オーバーハング部の周縁は、前記最外光線の経路の外側に位置していることを特徴とする。
【００１１】
本発明によれば、オーバーハング部に以上のような傾斜縁部を設けたので、レンズを介して入射した光の最外光線の経路とオーバーハング部が交錯しない。すなわち、最外光線がオーバーハング部の開口側周縁（端面）で反射することがない。このため、オーバーハング部を後退させる必要がなく、カメラモジュールのサイズを小型に維持したままでゴーストの発生を防止することができる。
【００１２】
また、本発明のカメラモジュールは、前記オーバーハング部の前記開口側の周縁がさらに前記傾斜縁部に連なった垂直縁部を有し、該垂直縁部が前記レンズユニット側であって前記最外光線の経路の外側に位置していることが好ましい。
【００１３】
このようにオーバーハング部の開口側の周縁に垂直縁部を設けることにより、オーバーハング部の射出成型時におけるバリの発生を回避しつつ、ゴーストの発生を防止することができる。
【００１４】
また、本発明のカメラモジュールは、前記オーバーハング部の裏面に反射防止手段が施されていることが好ましい。
【００１５】
このような反射防止手段を設けることにより、撮像素子の結像面からの反射光が撮像素子収容空間内部において乱反射せず、そのような乱反射によるゴーストの発生を防止することができる。
【００１６】
この場合、前記反射防止手段は、前記オーバーハング部の傾斜縁部から前記ベースの前記撮像素子収容空間側の垂直壁に至る内壁面に施されることが好ましい。
好ましくは、前記反射防止手段はシボ加工により形成される。
【００１７】
本発明のカメラモジュールの別の態様は、レンズを保持するレンズユニットと、該レンズユニットの下方に設けられ内部に撮像素子を密閉可能に収容する収容空間を有する撮像素子部とから成り、前記撮像素子部は、前記撮像素子が搭載された基板と、該基板の上側に設けられ、上面に前記レンズを介して入射した光を前記撮像素子部に導入するための開口を有するベースと、前記ベースの開口を覆うように設けられたＩＲカットフィルタとを有し、前記収容空間は、前記基板と前記ベースと前記ＩＲカットフィルタとにより規定され、前記ベースの前記開口の周囲は、前記ＩＲカットフィルタを支持するオーバーハング部をなしており、少なくとも前記オーバーハング部の裏面に反射防止手段が施されていることを特徴とする。
【００１８】
この場合、前記オーバーハング部の前記開口側の周縁は、前記入射する光のうちの最外光線の入射角度よりも大きな傾斜角度を有した傾斜縁部を有しており、前記反射防止手段は、前記オーバーハング部の傾斜縁部から前記ベースの前記撮像素子収容空間側の垂直壁に至る内壁面に施されていることが好ましい。
好ましくは、前記反射防止手段はシボ加工により形成される。
【００１９】
上述したおよびそれ以外の本発明の目的、構成および効果は、図面に基づいて行う以下の好適実施形態の説明からより明らかとなるであろう。
【発明の効果】
【００２０】
本発明に係るカメラモジュールは、オーバーハング部の周縁（端面）に最外光線の入射角度よりも大きな傾斜角度を有する傾斜縁部を設け、かつ該周縁は最外光線の経路の外側に位置している。このため、カメラモジュールの大型化を回避しつつゴーストの発生を低減または防止することができる。
【００２１】
また、本発明に係るカメラモジュールは、オーバーハング部の周縁（端面）に垂直縁部を設け、この垂直縁部はレンズユニット側に配置されるともに最外光線の経路の外側に位置するため、オーバーハング部の射出成型時におけるバリの発生を回避しつつ、ゴーストの発生を低減または防止することができる。
【００２２】
さらに、本発明に係るカメラモジュールは、オーバーハング部の傾斜縁部から撮像素子収容空間周囲の垂直壁に至る内壁面に反射防止手段が施されている。このため撮像素子の結像面からの反射光が当該内壁面に反射せず、ゴーストの発生を防止することができる。
【発明を実施するための最良の形態】
【００２３】
以下、添付図面を参照しつつ本発明に係る実施形態のカメラモジュールについて詳細に説明する。
【００２４】
図１は本実施形態のカメラモジュール１の断面図である。このカメラモジュール１は、レンズユニット２と、レンズユニット２の下方に設けられ、内部に撮像素子５が収容された撮像素子収容空間３３が形成された撮像素子部３とから構成されている。
【００２５】
レンズユニット２は、レンズ２３とレンズ２４を内部に収容したバレル２１と、このバレル２１を回動可能に支持するレンズホルダ２２を備えている。レンズホルダ２２を回動すると、バレル２１が光軸方向に移動してフォーカス調整が行えるように構成されている。なお、このレンズ２３とレンズ２４はカメラモジュールの光学系の一例にすぎず、他の光学系を備えたものであってもよい。
【００２６】
撮像素子部３は、撮像素子５が搭載された基板６と、基板６の上側に設けられ、上面にレンズ２３，２４を介して入射した光を撮像素子５に導入するための開口３４を有するベース３１と、ベース３１の開口３４を覆うように設けられたＩＲカットフィルタ４とを有している。撮像素子収容空間３３は、これらの基板６とベース３１とＩＲカットフィルタ４とにより規定された密閉空間である。
【００２７】
ベース３１の上面は、略円形の凹部３１ａをなしており、該凹部３１ａに略四角形の開口３４が形成されている。この凹部３１ａの深さは、ＩＲカットフィルタ４の厚さと同じである。
【００２８】
ベース３１の開口３４の周囲（すなわち、ベース３１の凹部３１ａと撮像素子収容空間３３の間の部分）は、ＩＲカットフィルタ４を支持するオーバーハング部３２をなしている。すなわち、図１に示すように、オーバーハング部３２の上面の開口３４の周囲には、ＩＲカットフィルタ４が接着剤を介して接着固定されている。また、このオーバーハング部３２は、撮像素子５の結像有効面外の有害光線を遮断するための遮光マスクとしての機能も備えている。
【００２９】
オーバーハング部３２の縁部、即ち、開口３４の周縁に相当する部分には、垂直縁部３２ａと、その下方に連続して形成されている傾斜縁部３２ｃとを有している。そして、垂直縁部３２ａと傾斜縁部３２ｃとの間には傾斜縁部上端３２ｂが存在する。この垂直縁部３２ａの垂直方向の厚さは約０．０５ｍｍ以下であり、オーバーハング部３２の射出成型時におけるバリの発生を防止するために設けられている。
【００３０】
オーバーハング部３２の開口３４側の周縁（傾斜縁部上端３２ｂ）は、レンズ２３，２４を介して入射する光のうちの最外光線の経路の外側に位置している。また、傾斜縁部３２ｃの傾斜角度αは、そのような最外光線の入射角度βよりも大きくなるように設定されている。そのため、最外光線の経路は、傾斜縁部上端３２ｂや傾斜縁部３２ｃと交錯しない。その結果、最外光線は、オーバーハング部３２の縁部（開口３４側周縁）で反射せず、当該反射を原因とするゴーストの発生を低減または防止することができる。
【００３１】
なお、本実施形態においては、オーバーハング部３２はベース３１と一体成型されているが、これをベース３１と別部材として構成することも可能である。
【００３２】
以上の構成を有する本実施形態にかかるカメラモジュールでは、さらに、オーバーハング部３２の傾斜縁部３２ｃからベース３１の撮像素子収容空間３３側の周囲垂直壁へ至るベース３１の内壁面に、反射防止を目的としたシボ加工３５が施されている。このシボ加工３５は、本発明の反射防止手段をなすもので、撮像素子１５の結像面に反射した上記最外光線がオーバーハング部３２の裏面にさらに反射して別なゴーストが発生することを低減または防止するために設けられている。
【００３３】
なお、このシボ加工３５は、オーバーハング部３２の裏面にだけ形成するようにしてもよい。また、シボ加工３５は反射防止手段の一例であり、無反射塗装や無反射皮膜等の公知の反射防止手段に代替可能である。
【図面の簡単な説明】
【００３４】
【図１】本発明に係る実施形態のカメラモジュール１の断面図である。
【図２】従来のカメラモジュール１１の断面図である。
【符号の説明】
【００３５】
１、１１  カメラモジュール
２、１２  レンズユニット
３、１３  撮像素子部
４、１４  ＩＲカットフィルタ
５、１５  撮像素子（ＣＭＯＳセンサ）
６、１６  基板
２１、１２１  バレル
２２、１２２  レンズホルダ
２３、１２３  レンズ
２４、１２４  レンズ
３１、１３１  ベース
３１ａ  凹部
３２、１３２  オーバーハング部
３２ａ  垂直縁部
３２ｂ  傾斜縁部上端
３２ｃ  傾斜縁部
３３、１３３  撮像素子収容空間
３４、１３４  開口
３５  シボ加工
【図１】
2006208865.tif 000003
【図２】
2006208865.tif 000004